(57)【特許請求の範囲】
【請求項１】
データを記録媒体に記録する記録装置において、
前記記録媒体に前記マークを形成する際に用いられる基本クロックを生成するクロック生成手段と、
前記クロック生成手段により生成された前記基本クロックを前記データに応じて位相変調した位相変調信号を出力する位相変調手段と、
前記記録媒体に前記データに基づいたマークを形成するために前記記録媒体の所定の領域を加熱する加熱手段と、
前記所定の領域に磁界を印加する磁界印加手段と、
前記位相変調手段から出力される前記位相変調信号に基づいて、前記加熱手段を駆動する第１の駆動手段と、
前記位相変調手段から出力される前記位相変調信号に基づいて、所定の電流を前記磁界印加手段に供給して前記磁界印加手段を駆動する第２の駆動手段とを備え、
前記第１の駆動手段によって駆動される前記加熱手段により前記所定の領域を加熱させるタイミングと前記第２の駆動手段によって駆動される前記磁界印加手段により前記磁界の向きを変化させるタイミングとが略同期するように制御する
ことを特徴とする記録装置。
【請求項２】
前記磁界印加手段は、一定強度の磁界を所定の時間継続する交番磁界を発生する
ことを特徴とする請求項１に記載の記録装置。
【請求項３】
データを記録媒体に記録する記録方法において、
前記記録媒体に前記マークを形成する際に用いられる基本クロックを生成するクロック生成ステップと、
前記クロック生成ステップの処理により生成された前記基本クロックを前記データに応じて位相変調した位相変調信号を出力する位相変調ステップと、
前記位相変調ステップの処理により出力される前記位相変調信号に基づいて、加熱手段を駆動する第１の駆動ステップと、
前記位相変調ステップの処理により出力される前記位相変調信号に基づいて、所定の電流を磁界印加手段に供給して前記磁界印加手段を駆動する第２の駆動ステップと、
前記第１の駆動ステップの処理により駆動される前記加熱手段を用いて前記記録媒体に前記データに基づいたマークを形成するために前記記録媒体の所定の領域を加熱する加熱ステップと、
前記第２の駆動ステップの処理により駆動される前記磁界印加手段を用いて前記所定の領域に磁界を印加する磁界印加ステップとを含み、
前記第１の駆動ステップの処理によって駆動される前記加熱手段により前記所定の領域を加熱させるタイミングと前記第２の駆動ステップの処理によって駆動される前記磁界印加手段により前記磁界の向きを変化させるタイミングとが略同期するように制御する
ことを特徴とする記録方法。
【発明の詳細な説明】
【０００１】
【発明の属する技術分野】
本発明は、記録装置および記録方法に関し、特に、マークのエッジ位置を記録データに応じてステップ状に変化させることによりデータを記録媒体に記録する記録装置および記録方法に関する。
【０００２】
【従来の技術】
近年、マルチメディアの発展に伴い、ＣＤ(Compact Disk)や、ＣＤ−ＲＯＭ(Compact Disk Read Only Memory)などの記録媒体が多用されている。これらの記録媒体は、記録データをランダムにアクセスできること、および、記録密度が高いことなどをその特徴としている。
【０００３】
これらの特徴を踏襲し、更に、データを記録することができるようにしたＭＯ(Magneto-optic)ディスク（以下、光磁気ディスクという）が徐々に浸透しつつある。
【０００４】
光磁気ディスクにおいては、記録媒体をレーザ光によりキュリー温度（媒体が保磁力を失う温度）以上に加熱し、加熱された領域に磁界を印加することにより、マークを形成し、データを記録する。記録されたデータを再生する場合は、記録時よりも微弱なレーザ光をマークに照射し、その反射光のカー回転角の方向に基づき、データを再生する。
【０００５】
図８は、光磁気ディスクに対してデータを記録する際に、ディスクに照射されるレーザ光と、印加される磁界との関係を示している。図８（ａ）は、光磁気ディスクに対して照射される書き込み用レーザ光のパワーＰWの時間的変化を示している。この図に示すように、レーザ光は、時刻ｔ0において照射が開始され、時刻ｔ2に照射が終了される。
【０００６】
この時の光磁気ディスクの温度変化を図８（ｄ）に示す。この図において、時刻ｔ0乃至ｔ4は、図８（ａ）の時刻ｔ0乃至ｔ4に対応している。また、ディスク上の位置ｄは、レーザ光の照射が開始されたディスク上の位置からの距離を示している。更に、ディスク上の温度Ｔは、レーザ光により加熱された領域の記録媒体の温度を示している。また、点線はキュリー温度Ｔcを示している。
【０００７】
時刻ｔ0においてレーザー光の照射が開始されると、記録媒体の温度は上昇し始める。そして、時刻ｔ1において、記録媒体の一部にキュリー温度Ｔcを上回る領域（図中ハッチングを施している部分）が生じる。そして、キュリー温度Ｔcを上回る領域は更に拡大し、時刻ｔ2で最大となり、その後は徐々に減少し、時刻ｔ3で若干残り、時刻ｔ4において消滅する。
【０００８】
温度がキュリー温度Ｔcを越えた領域は、その時印加されている外部の磁界の方向に磁化される。そして、温度が下降していく過程において、記録媒体の温度がキュリー温度Ｔcを下回った時点で、その領域の磁化の方向が固定され、マークが形成されることになる。
【０００９】
従って、良好なマークを形成するためには、図８（ｂ）に示すように、温度が最大となる時刻ｔ2から、キュリー温度Ｔcを上回る領域が消滅する時刻ｔ3の期間、所定の強度の磁界Ｈを印加することが好ましい。
【００１０】
しかしながら、ディスクは回転しているため、キュリー温度Ｔcを上回った領域が移動し、その結果、レーザー光が照射されている領域（スポット）から外れることがある。即ち、温度の上昇過程である時刻ｔ1乃至ｔ2においても、キュリー温度Ｔcを一旦上回った領域がＴcを下回るまで冷却される場合がある。従って、更に良好なマークを形成するためには、図８（ｃ）に示すように、時刻ｔ1乃至ｔ3において、所定の強度の磁界Ｈを印加するようにすることが好ましい。
【００１１】
以上の説明を要約すると、レーザ光を照射した後、温度が上昇し、また、レーザ光の照射を停止した後、温度が低下するのに、若干の遅延が生じるため、良好なマークを形成するためには、図８（ｂ）および図８（ｃ）に示すように、レーザ光照射終了後、所定の期間は磁界を印加し続ける必要があるということになる。
【００１２】
以上の点を考慮しつつ、従来の光磁気記録方法として、ＳＣＩＰＥＲ（商標）方式を例に挙げ、以下に考察を行う。なお、このＳＣＩＰＥＲ方式は、特願平４−２０３０１５号等に開示されているので、詳細な説明を省略する。
【００１３】
図９は、マークのエッジ位置を記録データに応じてステップ状に変化させることにより、データを記録媒体に記録するＳＣＩＰＥＲ方式を説明する図である。この方式では、図９（ａ）に示す、一定周期の交番磁界（外部磁界）を記録媒体に対して常時印加しておく。そして、図９（ｂ）に示すように、記録するデータに応じてレーザ光を照射するタイミングを変化させる。その結果、図９（ｃ）に示すマークが形成されることになる。
【００１４】
この例では、記録するデータに応じてレーザー光を照射するタイミングを４段階に変化させている。従って、この結果形成されるマークは、４種類の異なるエッジ位置を有することになる。
【００１５】
図９（ａ）に示すように、この方式で使用される外部磁界は、正弦波状に変化する。前述のように、記録媒体を磁化するためには、所定の強度以上の磁界Ｈを印加する必要がある。従って、同図において、外部磁界Ｈが所定の強度を上回る期間が記録可能な磁界の範囲となる。
【００１６】
【発明が解決しようとする課題】
図１０は、ＳＣＩＰＥＲ方式において、レーザ光の照射時刻を、記録するデータに応じて変化させた場合の外部磁界、レーザ光、およびマークの関係を示す図である。この図において、ＴLD-Magは、レーザ光の照射終了後の有効な外部磁界の継続時間を示している。図８を参照して説明したように、このＴLD-Magは、所定の時間以上確保する必要がある。しかしながら、図１０（ｂ）の第２番目および第３番目のレーザパルスに見られるように、例えば、Ｎマークの長さが長い長マークの次に、Ｎマークの長さが短い短マークを形成する際に、このＴLD-Magを十分に確保することができず、その結果、十分なマークが形成できないという課題があった。
【００１７】
また、図１１に示す、レーザ光をパルストレインで記録する方式（特願平５−１７０１７６号参照）では、同図（ｂ）の第２および第３番目のパルスに見られるように、ＴLD-Magがマイナスになる場合が生ずる。図１０の例においても、長マークの長さが更に長くなると、図１０において第２番目のパルスの発生のタイミングが更に遅くなり、ＴLD-Magが負になる。その結果、十分なマークが形成されないばかりか、この方式の特徴である再生ノイズが少ないという効果が発揮されないことがあるという課題があった。
【００１８】
更に、前述の２つの方式では、正弦波状に変化する外部磁界を用いているので、図９に示す記録可能な磁界範囲（期間）が狭いという課題があった。更にまた、記録可能な磁界範囲において、磁界強度が大きく変化するため、エネルギーを必要以上に浪費するという課題があった。
【００１９】
本発明は、以上の点に鑑みてなされたもので、マークのエッジ位置を記録データに応じて変化させることによりデータを記録媒体に記録する記録装置および記録方法において、前述のＴLD-Magを十分に確保することにより、良好なマークを形成することを実現するものである。
【００２０】
【課題を解決するための手段】
請求項１に記載の記録装置は、データを記録媒体に記録する記録装置であって、記録媒体にマークを形成する際に用いられる基本クロックを生成するクロック生成手段と、クロック生成手段により生成された基本クロックをデータに応じて位相変調した位相変調信号を出力する位相変調手段と、記録媒体にデータに基づいたマークを形成するために記録媒体の所定の領域を加熱する加熱手段と、所定の領域に磁界を印加する磁界印加手段と、位相変調手段から出力される位相変調信号に基づいて、加熱手段を駆動する第１の駆動手段と、位相変調手段から出力される位相変調信号に基づいて、所定の電流を磁界印加手段に供給して磁界印加手段を駆動する第２の駆動手段とを備え、第１の駆動手段によって駆動される加熱手段により所定の領域を加熱させるタイミングと第２の駆動手段によって駆動される磁界印加手段により磁界の向きを変化させるタイミングとが略同期するように制御することを特徴とする。
【００２１】
請求項３に記載の記録方法は、データを記録媒体に記録する記録方法であって、記録媒体にマークを形成する際に用いられる基本クロックを生成するクロック生成ステップと、クロック生成ステップの処理により生成された基本クロックをデータに応じて位相変調した位相変調信号を出力する位相変調ステップと、位相変調ステップの処理により出力される位相変調信号に基づいて、加熱手段を駆動する第１の駆動ステップと、位相変調ステップの処理により出力される位相変調信号に基づいて、所定の電流を磁界印加手段に供給して磁界印加手段を駆動する第２の駆動ステップと、第１の駆動ステップの処理により駆動される加熱手段を用いて記録媒体にデータに基づいたマークを形成するために記録媒体の所定の領域を加熱する加熱ステップと、第２の駆動ステップの処理により駆動される磁界印加手段を用いて所定の領域に磁界を印加する磁界印加ステップとを含み、第１の駆動ステップの処理によって駆動される加熱手段により所定の領域を加熱させるタイミングと第２の駆動ステップの処理によって駆動される磁界印加手段により磁界の向きを変化させるタイミングとが略同期するように制御することを特徴とする。
【００２２】
請求項１に記載の記録装置においては、記録媒体にマークを形成する際に用いられる基本クロックをクロック生成手段が生成し、クロック生成手段により生成された基本クロックをデータに応じて位相変調した位相変調信号を位相変調手段が出力し、記録媒体にデータに基づいたマークを形成するために記録媒体の所定の領域を加熱手段が加熱し、所定の領域に磁界を磁界印加手段が印加し、位相変調手段から出力される位相変調信号に基づいて、加熱手段を第１の駆動手段が駆動し、位相変調手段から出力される位相変調信号に基づいて、第２の駆動手段が所定の電流を磁界印加手段に供給して磁界印加手段を駆動し、第１の駆動手段によって駆動される加熱手段により所定の領域を加熱させるタイミングと第２の駆動手段によって駆動される磁界印加手段により磁界の向きを変化させるタイミングとが略同期するように制御する。
【００２３】
請求項３に記載の記録方法においては、記録媒体にマークを形成する際に用いられる基本クロックを生成し、生成された基本クロックをデータに応じて位相変調した位相変調信号を出力し、位相変調信号に基づいて、加熱手段を駆動し、位相変調信号に基づいて、所定の電流を磁界印加手段に供給して磁界印加手段を駆動し、加熱手段を用いて記録媒体にデータに基づいたマークを形成するために記録媒体の所定の領域を加熱し、磁界印加手段を用いて所定の領域に磁界を印加し、加熱手段により所定の領域を加熱させるタイミングと磁界印加手段により磁界の向きを変化させるタイミングとが略同期するように制御する。
【００２４】
【発明の実施の形態】
図１は、本発明の記録装置を応用した光磁気記録装置の一実施例の構成を示すブロック図である。光磁気ディスク１は、スピンドルサーボ回路３により制御されるスピンドルモータ２により、所定の角速度もしくは所定の線速度となるように回転されている。ピックアップ４（加熱手段）は、光磁気ディスク１の特定の記録領域に対してレーザ光を照射し、熱磁気記録に必要な所定強度のスポットを照射することにより、データを記録する。
【００２５】
また、ピックアップ４は、光磁気ディスク１からの反射光を検出し、その検出信号を復調復号回路６へ出力する。復調復号回路６は、ピックアップ４より供給されたＭＯ信号を復調し、更に復号して、図示しない再生回路へ出力する。サーボ回路５は、ピックアップ４に対するフォーカスサーボ、トラッキングサーボおよびスレッドサーボの制御を行う。
【００２６】
ＰＬＬ回路７は、例えば、エンボス(Emboss)加工などにより光磁気ディスク１にプリピットとして予め形成されているクロックピットの再生信号（ＲＦ信号；ピックアップ４から供給される信号）に同期し、かつ、光磁気ディスク１に記録しようとする信号の基本クロックの周波数に一致するようなクロック（以下記録基本クロックという）を生成する。多値ディジタル位相変調回路８（制御手段）は、ＰＬＬ回路７から供給される記録基本クロックを記録データに応じて位相変調し、記録用レーザ変調回路９およびマグネットドライブ回路１１へ出力する。
【００２７】
記録用レーザ変調回路９は、多値ディジタル位相変調回路８から供給される多値ディジタル位相変調信号の立ち上がりおよび立ち下がりのエッジに同期したパルスを発生し、レーザパワーコントロール回路１０へ出力している。レーザパワーコントロール回路１０は、記録用レーザ変調回路９より供給される記録用レーザ変調信号に対応して、ピックアップ４に内蔵されている半導体レーザを駆動する。
【００２８】
マグネットドライブ回路１１は、多値ディジタル位相変調回路８より供給される多値ディジタル位相変調信号に応じて所定の電流を外部磁界発生用コイル１２（磁界印加手段）へ供給する。外部磁界発生用コイル１２は、マグネットドライブ回路１１より供給された電流により、所定の強度の磁界を発生し、光磁気ディスク１の所定の領域に印加する。この外部磁界発生用コイル１２は、ピックアップ４がレーザ光を照射する位置と、光磁気ディスク１を挟んで、対向する位置に配置されている。これら、外部磁界発生用コイル１２とピックアップ４は、共通の送り機構により、光磁気ディスク１の半径方向へ移送され、スレッド制御がなされる。
【００２９】
次に、その動作について説明する。光磁気ディスク１は、スピンドルモータ２により所定の速度で回転されている。ピックアップ４は、この光磁気ディスク１に対して、データを記録する際のレーザ光よりも低い強度のレーザ光を連続的に照射し、その反射光からクロックピットに記録されている情報を再生し、これに対応するＲＦ信号をＰＬＬ回路７へ供給する。ＰＬＬ回路７は、クロックピットに同期した記録基本クロックを生成する。
【００３０】
図２（ａ）に、この記録基本クロック信号のタイミングチャートを示す。この信号は、同図に示されるように、一定の周期で“Ｈ”および“Ｌ”の状態を繰り返す信号である。記録基本クロック信号（図２（ａ））は、多値ディジタル位相変調回路８に供給され、記録データに応じて、その位相が変調される。その結果、図２（ｂ）に示す多値ディジタル位相変調信号が生成される。この例では、４種類の異なる位相により記録データの値が表現されている。
【００３１】
多値ディジタル位相変調信号（図２（ｂ））は、記録用レーザ変調回路９に供給され、そこで、このパルスの立ち上がりおよび立ち下がりエッジに同記したパルス信号が発生され、レーザパワーコントロール回路１０に供給される。レーザパワーコントロール回路１０は、このパルス信号に対応してピックアップ４に内蔵されている半導体レーザを駆動する。その結果照射されるレーザ光の強度の時間的変化を図２（ｃ）に示す。この図に示すように、レーザ光は、多値ディジタル位相変調信号（図２（ｂ））の立ち上がりおよび立ち下がりエッジに同期して照射されている。
【００３２】
マグネットドライブ回路１１は、多値ディジタル位相変調回路８から供給された多値ディジタル位相変調信号（図２（ｂ））に応じて外部磁界発生用コイル１２に電流を供給し、外部磁界を発生させる。図２（ｄ）に、外部磁界発生用コイル１２が発生する外部磁界の時間的変化を示す。この図に示すように、外部磁界は、多値ディジタル位相変調信号（図２（ｂ））に応じて“Ｎ”（多値ディジタル位相変調信号が高レベルのとき）および“Ｓ”（多値ディジタル位相変調信号が低レベルのとき）の状態を繰り返している。また、この磁界は、所定の期間、一定の強度を保持しており、その結果、従来の正弦波的に変化する磁界に比べ、以下の特徴を有する。
（ア）記録可能な磁界の範囲（期間）が広い。
（イ）記録可能な磁界の範囲において、磁界が一定の強度を保っているため、不要なエネルギーの損失を防ぐことができる。
【００３３】
図２（ｅ）は、レーザ光（図２（ｃ））の照射と、記録外部磁界（図２（ｄ））の印加とにより、光磁気ディスク１に形成されるマークを示している。この図に示すように、マークは、Ｎ極およびＳ極が交互に配置されるように形成される。そして、これら各々のマークの先端部のエッジの位置により、データの値が表現される。
【００３４】
図３は、以上の実施例において、多値ディジタル位相変調信号が変化した場合の外部磁界、レーザ光およびマークの関係を示す図である。この図に示すように、外部磁界（図３（ａ））の変化するタイミングは、レーザ光（図３（ｂ））が照射されるタイミングとほぼ同期している。その結果、記録可能な磁界範囲が、記録されるデータに合わせて変化し、長いマーク（いまの場合Ｎ極のマーク）の次に短いマーク（Ｓ極のマーク）を形成するような場合においても、短いマークにおいて、十分な長さのＴLD-Magを確保することが可能となり、良好なマークを形成することができる。
【００３５】
図４は、図１に示す実施例において、パルストレイン方式でデータ（複数のパルスで１つのピット）を記録するようにした場合に、多値ディジタル位相変調信号が変化したときの外部磁界、レーザ光、およびマークの関係を示す図である。この図に示すように、パルストレイン方式によりデータを記録する場合においても、従来例において見られたように、ＴLD-Magがマイナスになることがなく、良好なマークを形成することが可能となる。
【００３６】
図５は、多値ディジタル位相変調信号（図２（ｂ））より、半導体レーザを発光させるための信号（図２（ｃ））を生成するための回路の構成の一例を示すブロック図である。なお、この回路は、図１に示す記録用レーザ変調回路９に内蔵されている。
【００３７】
図５（ａ）に示す回路は、入力信号を所定の時間Ｔ1遅延し、出力する遅延素子３１、および、遅延素子３１の出力と入力信号との排他的論理和を演算するエクスクルーシブオア(Ex-OR)素子３２から構成されいている。
【００３８】
図６にこの回路のタイミングチャートを示す。入力された多値ディジタル位相変調信号（図６（ａ））は、遅延素子３１により所定の時間Ｔ1遅延され出力される（図６（ｂ））。そして、遅延素子３１からの出力信号（図６（ｂ））と、多値ディジタル位相変調信号（図６（ａ））（遅延素子３１により遅延されていない信号）は、エクスクルーシブオア素子３２に入力され、排他的論理和が演算され、出力される（図６（ｃ））。その結果、エクスクルーシブオア素子出力信号（図６（ｃ））は、多値ディジタル位相変調信号（図６（ａ））のパルスの立ち上がりおよび立ち下がり部分の双方で、時間Ｔ1の間、“Ｈ”の状態を保つ信号となる。この信号をレーザパワーコントロール回路１０に供給することにより、１つのマークの前と後ろのエッジを形成するのに、半導体レーザを１回ずつ発光させることが可能となる。
【００３９】
図５（ｂ）は、図４に示すパルストレイン方式に対応するように、半導体レーザを発光させる信号を生成するための回路の構成の一例を示すブロック図である。なお、この回路も図１に示す記録用レーザ変調回路９に内蔵されている。
【００４０】
この回路は、入力信号を所定の時間Ｔ2遅延し、出力する遅延素子３３、遅延素子３３の出力と入力信号との排他的論理和を演算するエクスクルーシブオア素子３４、エクスクルーシブオア素子３４の出力を所定の時間Ｔ3だけ遅延して出力する遅延素子３５、および、遅延素子３５の出力とエクスクルーシブオア素子３４との出力の論理和を演算するオア(OR)素子３６より構成されている。
【００４１】
図７にこの回路の動作のタイミングチャートを示す。遅延素子３３に入力された多値ディジタル位相変調信号（図７（ａ））は、所定の時間Ｔ2だけ遅延され出力される（図７（ｂ））。そして、遅延素子３３からの出力信号（図７（ｂ））と、多値ディジタル位相変調信号（図７（ａ））は、エクスクルーシブオア素子３４に入力され、排他的論理和が演算され、出力される（図７（ｃ））。エクスクルーシブオア素子３４からの出力信号（図７（ｃ））は、更に、遅延素子３５に入力され、所定の時間Ｔ3遅延されて出力される（図７（ｄ））。この信号と、エクスクルーシブオア素子３４の出力信号（図７（ｃ））は、オア素子３６へ入力され、論理和が演算され、出力される（図７（ｅ））。
【００４２】
その結果、オア素子出力信号（図７（ｅ））は、多値ディジタル位相変調信号（図７（ａ））のパルスの立ち上がりおよび立ち下がり部分の双方で、時間Ｔ2の間“Ｈ”の状態を保持し、更に、時間Ｔ3の間隔をおいて、同様の状態を再び繰り返す信号となる。この信号をレーザパワーコントロール回路１０に供給すれば、１つのマークを形成するのに、半導体レーザを２回発光させることが可能となる。
【００４３】
以上の実施例では、矩形波状の電流により外部磁界を発生するようにしたが、従来のように正弦波状の電流を用いてもよいことはいうまでもない。
【００４４】
【発明の効果】
請求項１に記載の記録装置および請求項３に記載の記録方法によれば、マークを形成するために記録媒体の所定の領域をデータに応じて加熱すると共に、所定の領域に印可する磁界を、データに応じて制御するようにしたので、良好なマークが形成されるだけでなく、磁気エネルギーの損失を押さえることができる。また、記録可能な磁界範囲が広くなるので、記録時にレーザ光と外部磁界のタイミングの調整を行う必要がなくなる。さらに、再生時のノイズを減少させることも可能となる。
【図面の簡単な説明】
【図１】本発明の記録装置を応用した光磁気記録装置の構成の一例を示すブロック図である。
【図２】図１の光磁気記録装置における主要部分の信号のタイミングを示すタイミングチャートである。
【図３】図１の光磁気記録装置における外部磁界、レーザ、マークの時間的変化を示す図である。
【図４】図１の光磁気記録装置において、パルストレイン方式で記録を行った場合の外部磁界、レーザ、マークの時間的変化を示す図である。
【図５】図１の光磁気記録装置の記録用レーザ変調回路の詳細な構成を示すブロック図である。
【図６】図５（ａ）に示す回路の主要部分の信号のタイミングを示すタイミングチャートである。
【図７】図５（ｂ）に示す回路の主要部分の信号のタイミングを示すタイミングチャートである。
【図８】光磁気ディスクにデータを記録する際の、レーザ光、外部磁界、および記録媒体の温度の関係を示す図である。
【図９】従来のＳＣＩＰＥＲ方式によりデータを記録する際の、外部磁界、レーザ、および、マークの関係を示す図である。
【図１０】従来のＳＣＩＰＥＲ方式によりデータを記録する際に、レーザ光の照射開始時間が変化した場合の、外部磁界、レーザ、および、マークの関係を示す図である。
【図１１】従来のパルストレイン方式によりデータを記録する際に、レーザ光の照射開始時間が変化した場合の、外部磁界、レーザ、および、マークの関係を示す図である。
【符号の説明】
１  光磁気ディスク
２  スピンドルモータ
３  スピンドルサーボ回路
４  ピックアップ（加熱手段）
５  サーボ回路
６  復調復号回路
７  ＰＬＬ回路
８  多値ディジタル位相変調回路（制御手段）
９  記録用レーザ変調回路
１０  レーザパワーコントロール回路
１１  マグネットドライブ回路
１２  外部磁界発生用コイル（磁界印加手段）
３１，３３，３５  遅延素子
３２，３４  エクスクルーシブオア素子
３６  オア素子
【図１】
0003669450.tif 000002
【図２】
0003669450.tif 000003
【図３】
0003669450.tif 000004
【図４】
0003669450.tif 000005
【図５】
0003669450.tif 000006
【図６】
0003669450.tif 000007
【図７】
0003669450.tif 000008
【図８】
0003669450.tif 000009
【図９】
0003669450.tif 000010
【図１０】
0003669450.tif 000011
【図１１】
0003669450.tif 000012